(57)【要約】【課題】前面の外観が優れ、吹出グリルや前板から異常音が出たりすることの無い空気調和機用室外機を提供する。【解決手段】室外ファン１等を内蔵すると共に、外郭７ａが、底部を形成する基板２と、天板３と、前記室外ファン１を保護する吹出グリル４を有した前板５と、側板６等で構成され、前記基板２に運搬時に手指を掛ける把手８を設けたもので、室外機７の前面や吹出グリル４に手を掛ける部分を設ける必要が無いので、室外機７の前面の外観を向上させると共に、吹出グリル４から異常音が発生したり、吹出グリルが破損することを防止することができる。【選択図】図１ 
2005221142.tif 000002
【特許請求の範囲】
【請求項１】
室外ファン等を内蔵すると共に、外郭が、底部を形成する基板と、天板と、前記室外ファンを保護する吹出グリルを有した前板と、側板等で構成され、前記基板に運搬時に手指を掛ける手掛け部を設けたことを特徴とする空気調和機用室外機。
【請求項２】
基板に取り付け穴を設け、前記取り付け穴に把手を嵌合させ、前記把手を手掛け部としたことを特徴とする請求項１記載の空気調和機用室外機。
【請求項３】
段押し加工で手掛け部を形成したことを特徴とする請求項１記載の空気調和機用室外機。
【請求項４】
基板にディンプル加工を施してその部分を手掛け部とした請求項１記載の空気調和機用室外機。
【請求項５】
前板の下端に下方に突出する断面略Ｕ字状の突出部を設け、その突出部を手掛け部とした請求項１記載の空気調和機用室外機。
【発明の詳細な説明】
【技術分野】
【０００１】
本発明は空気調和機用室外機に関するものである。
【背景技術】
【０００２】
従来の空気調和機用室外機について、図１０を用いて説明する。
【０００３】
図において、空気調和機の室外機７は、内部に室外ファン１等を配置し、基板２と、天板３と、前記室外ファン１を保護するための吹出グリル４を有する前板５および側板６から構成され、前記側板６、前板５または吹出グリル４の下部などに運搬時に手指を引掛ける把手８が設けられていた（例えば、特許文献１参照）。
【特許文献１】特開平１１−１０８３９８号公報
【発明の開示】
【発明が解決しようとする課題】
【０００４】
しかしながら、近年室外機７を小型化する傾向にあるとともに、静音化を目的とした室外ファン１の大型化に伴い、吹出グリル４が大型化し、把手８を取付ける位置が制約されるようになってきた。また前板５など前面に把手８を配置した場合、把手８が露出するため外観的に良くないという課題もあった。
【０００５】
また前面に把手８を見せないように、吹出グリル４を利用して把手８を配置した場合、吹出グリル４が破損したり、前板５と吹出グリル４との間に極小な隙間ができ異常音が発生するという課題を有していた。
【０００６】
本発明は、前記従来の課題を解決するもので、外観を損ねることなく、吹出グリルから異常音がでたり、吹出グリルが破損する事の無い空気調和機用室外機を提供することを目的とする。
【課題を解決するための手段】
【０００７】
前記従来の課題を解決するために、本発明の空気調和機用室外機は、室外ファン等を内蔵すると共に、外郭が、底部を形成する基板と、天板と、前記室外ファンを保護する吹出グリルを有した前板と、側板等で構成され、前記基板に運搬時に手指を掛ける手掛け部を設けたもので、室外機前面や吹出グリルに把手など手を掛ける部分を設けることが不要となり、室外機の前面の外観を向上させると共に、吹出グリルからの異常音発生を防止し、吹出グリルの破損も防止することができる。
【発明の効果】
【０００８】
本発明の空気調和機用室外機は、前面に運搬時に手指を引掛ける把手等を設ける必要がが無いので、前面の外観が向上し、しかも吹出グリルから異常音が出たり、運搬時に吹出グリルが破損することもない。
【発明を実施するための最良の形態】
【０００９】
第１の発明は、室外ファン等を内蔵すると共に、外郭が、底部を形成する基板と、天板と、前記室外ファンを保護する吹出グリルを有した前板と、側板等で構成され、前記基板に運搬時に手指を掛ける手掛け部を設けたもので、室外機前面や吹出グリルに把手など手を掛ける部分を設けることが不要となり、室外機の前面の外観を向上させると共に、吹出グリルから異常音がでたり、吹出グリルが破損することも無い。
【００１０】
第２の発明は、特に、第１の発明の基板に取り付け穴を設け、前記取り付け穴に把手を嵌合させ、前記把手を手掛け部としたもので、第１の発明による効果に加え、運搬時に把手から手指がずれたり、外れたりする事が無く、運搬作業を円滑に行なうことができる。
【００１１】
第３の発明は、特に、第１の発明の手掛け部を段押し加工で形成したもので、第１の発明による効果に加え、手掛け用の専用の部品が不用になるので、空気調和機用室外機を安価に形成することができる。
【００１２】
第４の発明は、特に、第１の発明の手掛け部をディンプル加工を施して形成したもので、第１の発明による効果に加え、手掛け用の専用の部品が不用になるので安価に形成できるとともに、ディンプル加工により基板の強度が向上し、信頼性の高い空気調和機用室外機を提供することができる。
【００１３】
第５の発明は、特に、第１の発明の前板の下端に下方に突出する断面略Ｕ字状の突出部を設け、その突出部を手掛け部としたもので、第１の発明による効果に加え、前記突出部により基板の強度が向上し、信頼性の高い空気調和機用室外機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機用室外機の正面図、図２は、同空気調和機用室外機の基板の斜視図、図３は、その基板の詳細部分断面図である。
【００１６】
図１から図３において、空気調和機用室外機（以下、「室外機７」という）の外郭７ａは、基板２と、天板３と、吹出グリル４を固着した前板５と、側板６とで箱体状に構成され、その内部に、室外ファン１、圧縮機（図示せず）、熱交換器（図示せず）などの機能部品が搭載されている。前記基板２に、段付加工された取付け穴９を設け、前記取付け穴９に室外機７の運搬時に手指を掛ける手掛け部となる把手８が嵌め込まれている。
【００１７】
以上のように、本実施の形態の空気調和機用室外機によれば、基板２の内面に把手８を嵌め込むことにより、前板５や吹出グリル４など前面に設けられた部品に把手が設けられていないので室外機７の前面の外観が向上するとともに、吹出グリル４や前板５から異常音が発生したり、輸送時に吹出グリル４が破損することもない。また、把手８により、室外機７の運搬時に、手指がずれたり、外れたりする事が無いので、運搬作業を円滑に行なうことができる。
【００１８】
（実施の形態２）
図４は、本発明の第２の実施の形態の空気調和機用室外機の基板の斜視図、図５は、その基板の部分断面図である。なお、上記実施の形態と同一部分については同一符号を付してその説明を省略する。
【００１９】
図において、基板２に、室外機７の運搬時に手指が掛けられる手掛け部１０を段押し加工して設けたもので、第１の実施の形態同様、前板５や吹出グリル４などに把手を設ける必要が無いので、室外機７の前面の外観が向上し、吹出グリルや前板５からの異常音の発生や、輸送時の吹出グリル４の破損を防止することができ、さらに段押し加工で形成された手掛け部１０により基板２の強度を向上させることができる。
【００２０】
（実施の形態３）
図６は、本発明の第３の実施の形態における空気調和機用室外機の基板の斜視図、図７
は、その基板の部分断面図を示すものである。なお、上記実施の形態と同一部分については同一符号を付してその説明を省略する。
【００２１】
本実施の形態は、図に示すように、基板２に、室外機７の運搬時に基板２の底面を持った時に、手がすべる事が無いように、複数個のディンプル加工した手掛け部１１を設けたもので、その手掛け部１１に手を添えて室外機７を運搬する事ができるので、前板５や吹出グリル４など前面に設けられた部品に把手を設ける必要が無くなり、室外機７の前面の外観が向上するとともに、吹出グリル４や前板５から異常音が発生したり、輸送時に吹出グリル４が破損することもない。また、手掛け用の専用の部品が不用になるとともに、ディンプル加工により基板２の強度が向上し、安価で信頼性の高い空気調和機用室外機を提供することができる。
【００２２】
（実施の形態４）
図８は、本発明の第４の実施の形態における空気調和機用室外機の斜視図、図９は、同空気調和機用室外機の要部断面図である。なお、上記実施の形態と同一部分については同一符号を付してその説明を省略する。
【００２３】
本実施の形態は、図に示すように、前板５の下部端面を基板２の底部より下方に突出するように断面略Ｕ字状に曲げ加工された突出部１２を設け、前板５を基板２の側壁面１３にネジ１４等で固着し、室外機７の運搬時に、突出部１２を手掛け部として、そこに手を掛けて運搬できるようにしたもので、前板５や吹出グリル４など前面に設けられた部品に把手を設ける必要が無くなり、室外機７の前面の外観が向上するとともに、吹出グリル４や前板５から異常音が発生したり、輸送時に吹出グリル４が破損することもない。
【００２４】
また、突出部１２により前板５の強度が向上し、信頼性の高い空気調和機用室外機を提供することができる
【産業上の利用可能性】
【００２５】
以上のように、本発明にかかる空気調和機用室外機は、基板に手掛け部を設けることにより、室外機前面の外観が向上するとともに、吹出グリルや前板から異常音が出るのを防止し、また輸送時における吹出グリルの破損を防止することができるので、外形が略箱体状の各種機器、装置にも適用できる。
【図面の簡単な説明】
【００２６】
【図１】本発明の実施の形態１における空気調和機用室外機の正面図
【図２】同空気調和機用室外機の基板の斜視図
【図３】同基板の部分断面図
【図４】本発明の実施の形態２における空気調和機用室外機の基板の斜視図
【図５】同基板の部分断面図
【図６】本発明の実施の形態３における空気調和機用室外機の基板の斜視図
【図７】同基板の部分断面図
【図８】本発明の実施の形態４における空気調和機用室外機の斜視図
【図９】同空気調和機用室外機の要部断面図
【図１０】従来の空気調和機用室外機の正面図
【符号の説明】
【００２７】
１    室外ファン
２    基板
３  天板
４  吹出グリル
５  前板
６  側板
７  空気調和機用室外機
７ａ  外郭
８  把手（手掛け部）
９  取付け穴
１０、１１  手掛け部
１２  突出部（手掛け部）
【図１】
2005221142.tif 000003
【図２】
2005221142.tif 000004
【図３】
2005221142.tif 000005
【図４】
2005221142.tif 000006
【図５】
2005221142.tif 000007
【図６】
2005221142.tif 000008
【図７】
2005221142.tif 000009
【図８】
2005221142.tif 000010
【図９】
2005221142.tif 000011
【図１０】
2005221142.tif 000012